(57)【要約】【課題】著しい追加コストを生じさせることなく組織的な工程の観点において光造形を大幅に改善させる光造形装置ならびにボトルを提供する。【解決手段】印刷原料を収容するための交換可能なボトルを備えていて、そのボトルをボトル支承部内あるいは上に支承可能で、また前記ボトルから装置側のボトルソケットを介して光造形装置内に印刷原料を取り込み可能である光造形装置に関する。充填レベルセンサをボトルソケット上に設置してその充填レベルセンサによってボトル内の印刷原料の充填レベルを検出可能にする。ボトルに小型メモリを割り当て、その小型メモリ内に光造形装置がボトル内に存在する印刷原料に関する情報、特に充填レベルを記録する。【選択図】図４
2020116950.tif 000002
【特許請求の範囲】
【請求項１】
印刷原料を収容するための交換可能なボトルを備えていて、そのボトルをボトル支承部内あるいは上に支承可能で、また前記ボトルから装置側のボトルソケットを介して光造形装置内に印刷原料を取り込み可能である光造形装置であり、充填レベルセンサ（５８）を光造形装置上、特にボトルソケット上の好適にはボトル（１０）の側方に設置してその充填レベルセンサによってボトル（１０）内の印刷原料（５０）の充填レベルを検出可能にし、ボトル（１０）に小型メモリ（３８）を割り当てて特にボトル（１０）上に取り付け、その小型メモリ内に光造形装置（１２）がボトル（１０）内に存在する印刷原料（５０）に関する情報、特に充填レベルを記録することを特徴とする光造形装置。
【請求項２】
スライスされた面積に基づいて印刷原料消費を、特に２０％より良好な精度で計算する制御装置（７４）を光造形装置（１２）が備えることを特徴とする請求項１記載の光造形装置。
【請求項３】
小型メモリ（３８）がボトルに取り付けられたＲＦＩＤタグ（３６）内あるいは上に形成されることを特徴とする請求項１または２記載の光造形装置。
【請求項４】
ボトル（１０）上のＲＦＩＤタグ（３６）との双方向の通信のために形成されていて光造形装置（１２）の制御装置（７４）に接続されるＲＦＩＤアンテナを光造形装置（１２）が備えることを特徴とする請求項１ないし３のいずれか記載の光造形装置。
【請求項５】
ボトル（１０）はボトルソケット上であるいはボトルソケットと共に旋回可能に光造形装置（１２）内で支承され、ボトル（１０）が垂直である旋回状態においてＲＦＩＤアンテナとＲＦＩＤタグ（３６）との間の双方向通信が動作することを特徴とする請求項１ないし４のいずれか記載の光造形装置。
【請求項６】
ボトル（１０）は回転ずれが防止されるようにしてボトル支承部内に支承され、特に注ぎ口を下にして支承されることを特徴とする請求項１ないし５のいずれか記載の光造形装置。
【請求項７】
ボトルネック（１４）の方向に延在しかつボトルネックから突立する補強リブをボトル（１０）の注ぎ口が備え、（注ぎ口が下方にある位置で見て）前記補強リブの上方に充填レベルセンサ（５４）が取り付けられることを特徴とする請求項１ないし６のいずれか記載の光造形装置。
【請求項８】
装置側のボトル支承部の収容部が印刷原料（５０）を充填可能な槽（４２）への流体接続を有し、その槽の中に光造形装置（１２）の成形プラットフォームを浸漬可能であることを特徴とする請求項１ないし７のいずれか記載の光造形装置。
【請求項９】
槽（４２）への流体接続は家畜給水装置方式の給入口を介して形成し、槽の充填レベルが低下した際に前記家畜給水装置方式の給入口を介してボトル（１０）から印刷原料（５０）を自動的に補充可能にすることを特徴とする請求項８記載の光造形装置。
【請求項１０】
ボトル（１０）の印刷原料（５０）の残量が１０ｃｍ３未満になった場合に充填レベルセンサ（５４）が作動し、また特に少なくとも１本の歯列、より好適には少なくとも３本の歯列をスライスするために充分な印刷原料（５０）が請求項８または９に係る槽内に存在する間に充填レベルセンサが作動することを特徴とする請求項１ないし９のいずれかに記載の光造形装置。
【請求項１１】
ボトル（１０）および／または槽（４２）内に充分な印刷原料（５０）が存在していないことを充填レベルセンサ（５４）が示した場合に光造形装置（１２）の制御装置が印刷工程の開始を禁止することを特徴とする請求項１ないし１０のいずれか記載の光造形装置。
【請求項１２】
充填レベルセンサ（５４）を容量式センサとして形成し、そのセンサをボトル（１０）の下端に隣接してボトル（１０）から約１ないし２０ｍｍ離間するように光造形装置（１２）内あるいは上に取り付けることを特徴とする請求項１ないし１１のいずれか記載の光造形装置。
【請求項１３】
制御装置がＲＦＩＤアンテナとＲＦＩＤタグ（３６）との間の通信に基づいてボトル（１０）の種類と、ボトル（１０）内に存在する印刷原料（５０）の種類と、ボトル（１０）の大きさと、ボトル（１０）内の印刷原料（５０）の製造日と、ボトル（１０）からの印刷原料（５０）の使用開始と、印刷原料（５０）の種類および／またはボトル（１０）の最終使用を記録することを特徴とする請求項１ないし１２のいずれか記載の光造形装置。
【請求項１４】
ボトル（１０）内に存在する印刷原料（５０）の重要な特性を記録したＱＲコード（登録商標）あるいはバーコードをＲＦＩＤタグ（３６）に加えてボトル（１０）上に設置することを特徴とする請求項１ないし１３のいずれか記載の光造形装置。
【請求項１５】
光造形装置のボトルソケット内に装填可能な光造形装置用のボトルあるいはその他の液体容器であり、ボトル（１０）が、特に容量式の、充填レベルセンサ（５４）に対して透過性であるような壁厚を有していてそれが特に２ｍｍ未満、より好適には１ｍｍ未満であり、ボトル（１０）の壁部が少なくともボトル注ぎ口に隣接する位置において非金属でかつ金属製の被覆を有しておらず、さらにボトル（１０）が特にＲＦＩＤタグの形式の小型メモリ（３８）を備え、それがボトル（１０）の壁部上に取り付けられることを特徴とするボトルあるいはその他の液体容器。
【発明の詳細な説明】
【技術分野】
【０００１】
この発明は、請求項１前文に記載の光造形装置に関する。
【背景技術】
【０００２】
光造形機器あるいは装置において印刷原料を含んだカセット形式のボトルを使用することが古くから知られている。その種のボトルあるいはカセットは、自由に開放可能な印刷原料の容器に比べて汚染し難くまた特にモノマーの遊離基が印刷原料による周囲環境の汚染につながり得ない点で有利である。
【０００３】
通常印刷原料は特に貯蔵に際して極めて感光性である。従ってボトルが黒く着色され、そのためボトルの充填レベルが外側から目視不可能になる。
【０００４】
印刷原料は比較的高価である。従って、ボトル内に存在する印刷原料を可能な限り完全に使い切るよう努力されている。そのため印刷原料が、ボトルから液状の印刷原料のための所定の貯蔵容積を形成するボウルあるいは槽内に誘導される。しかしながら、光造形に際してスライスを可能にするために槽内の所定の充填レベルが不可欠である。そのため成形プラットフォームを印刷原料内に浸漬可能にし、スライスに際してＺ方向に移動可能にする必要がある。
【０００５】
スライス中に印刷原料の使用量を計算することも知られている。しかしながら、光造形による印刷は極めて複雑な工程であり、従って実用上印刷原料の使用量は著しく理論値から逸脱する。
【０００６】
別の問題点は、一般的に少なくとも３種類の印刷原料が必要とされることである。例えば歯科分野における多様な対象要求あるいは指示に対応して多様な原料が使用され、それらが混合されると意図しない材料特性が発生する可能性がある。
【０００７】
それらの材料は相互に不親和であり、従って相互汚染を回避することが重量である。通常そのことは、ボトルあるいは槽を異なった色で標記することによって考慮される。
【０００８】
しかしながら、光造形装置において相互汚染を完全に防止することは容易でない。
【発明の概要】
【発明が解決しようとする課題】
【０００９】
従って本発明の目的は、著しい追加コストを生じさせることなく組織的な工程の観点において光造形を大幅に改善させる、請求項１前文に記載の光造形装置ならびに請求項１５前文に記載のボトルを提供することである。
【課題を解決するための手段】
【００１０】
前記の課題は本発明に従って請求項１あるいは請求項１５によって解決される。好適な追加構成が従属請求項によって定義される。
【００１１】
本発明によれば、印刷原料の充填レベルを直接ボトル内で検出する。その検出はボトル上あるいはボトル近傍で実施することができ、その充填レベルは特別なメモリ内に記録される。そのメモリは光造形装置内の任意の箇所、特にボトルに近接して設置され、さらにボトル内に存在する印刷原料に関する情報も記録される。それには原料自体の種類と最新の充填レベルが含まれる。
【００１２】
小型メモリは、メモリの一部、具体的には印刷原料の種類に関する部分が変更不可能で、一方別の部分、特に充填レベルに関する部分は変更可能であるように構成される。
【００１３】
本発明は実質的にボトルの使用に限定されることはなく；それに代えて閉鎖型あるいは略閉鎖型である他の任意の容器を本発明に従って使用することも可能である。
【００１４】
本発明は、特許文献１に係る光造形装置と組み合わせて適用することが好適であり、従ってこの文献を全体的に引用する。
【００１５】
本発明によれば、ボトル内に所与の残量が存在している際に充填レベルセンサが正確に検知することが極めて好適である。勿論、充填レベルセンサは正確な充填レベルを表示および記録する目的でも具現可能である。しかしながら本発明によれば、所定の充填レベルの上方で第１の信号を発信し、所定の充填レベルの下方では第２の信号を発信するセンサのようなスイッチングセンサが好適である。その際第１の信号がボトルにまだ充分な印刷原料が充填されていることを示し、第２の信号はボトルの充填レベルが充分でなく従ってボトルを交換する必要があることを示す。
【００１６】
本発明によれば、ボトルに割り当てられた小型メモリが光造形装置によって読み取り可能かつ分析可能である。このことは、小型メモリ内に記録された充填レベルおよび／またはボトル内に存在する印刷原料に関するその他の情報を光造形装置が検知し得ることを意味する。
【００１７】
従って、光造形装置が小型メモリ用の読み取り装置を備え、その読み取り装置が情報の書き込み装置と結合可能であることが好適であり、その際前記書き込み装置は例えばボトルの充填レベルに関する情報を小型メモリ内に記録する。
【００１８】
本発明によれば、同時に充填レベルインジケータがボトルの充填レベルを正確に再現し、従って充填レベル、すなわちボトル内に存在する印刷原料が要求されている造形作業を実行するために充分であるかを光造形装置が制御装置を用いて自動的に決定することができることが好適である。
【００１９】
本発明によれば小型メモリの二重機能が極めて好適であり、その小型メモリは充填レベルを記録するばかりでなく、該当する印刷原料についておよび必要に応じて製造年月日、使用期限等のボトル内に存在する印刷原料に関する他の個別情報も同時に記録する。従って、光造形装置がそれの制御装置を介して当該印刷原料が要求されている造形作業に適しているかどうかを判定することができる。
【００２０】
本発明によれば、ボトルの交換に際して該当する情報を取得し得る点が極めて好適である。光造形装置のソケット内にボトルが接近するとボトル上の小型メモリと対応する光造形装置内の小型メモリ用送受信装置との間にデータ接続が形成される。新たな小型メモリの読み取りが実行され、従ってどの印刷原料ならびにどれくらいの量の印刷原料が利用可能で、また例えば使用期限を超過していないかどうかについての情報が光造形装置に提供される。
【００２１】
変更された構成形態によれば、小型メモリと呼称することもできる同等なメモリが光造形装置自体の中に存在する。ボトル上の一義的なコード、例えばＱＲコード（登録商標）を介してボトルの識別が実行され、従ってボトルを挿入した場合に当該ボトルに対応する小型メモリ内の記憶領域を読み取ることができる。
【００２２】
しかしながら、ボトル上に小型メモリを設けることが好適であり、なかでもＮＦＣ通信に適していて印刷原料に関する情報をボトル上で自律的に検出するＲＦＩＤタグを設けることが好適である。
【００２３】
ＲＦＩＤタグの取り付けは、ＮＦＣを介した送受信に適する任意の適宜な箇所で実施することができる。ボトルの送受信装置は適宜なアンテナを備えることが好適であり、それを介してＲＦＩＤタグとの双方向通信が可能になる。
【００２４】
好適な構成形態によればボトルが旋回可能に収容され、それに関しても前述した特許文献１を引用することができる。ボトルは垂直な状態において使用可能で、印刷原料の放出が可能になる。その状態においてＲＦＩＤアンテナとＲＦＩＤタグとの間の通信も可能になり、ボトルから槽内に印刷原料が放出される間にボトルの充填レベルが監視される。
【００２５】
充填レベルセンサも任意の適宜な方式で取り付けられる。充填レベルセンサは容量式センサとして形成することが好適であり、そのセンサがボトルの下端でセンサに隣接して印刷原料が存在するか否か、すなわち空気が存在するかどうかを検出する。
【００２６】
本発明の別の好適な構成形態によれば、元々ＲＦＩＤタグとの通信用に構成されている光造形装置の制御装置が別のＲＦＩＤアンテナと結合される。そのアンテナが成形プラットフォームのＺ軸、すなわち垂直動作を捕捉し、そのために成形プラットフォーム上に別のＲＦＩＤタグが取り付けられる。そのため成形プラットフォームが開始位置にあることを判定することができ、そのことが成形プラットフォームの推進の制御のために有効となる。
【００２７】
別の好適な構成形態によれば、充填レベルセンサを介して充填レベルを検出することに加えてスライス中の印刷原料の消費が計算される。それによっていつ印刷原料が不足するかのおおよその予測が可能になる。
【００２８】
計算の結果所定の消費の閾値に到達した場合、すなわち理論的な判定の結果例えばボトル内の印刷原料の半分が消費されたと判断し得る場合にのみボトル上のＲＦＩＤタグを制御に取り込むことが可能である。
【００２９】
ボトル上の検出は周期的に実行することが好適である。例えば状態が変化したかどうかを１秒間に複数回制御装置が測定することができる。このことはカセットの位置の検出、すなわちボトルが垂直であるかあるいは横たわっているかの検出にも有効である。また充填レベルセンサも短い間隔で照会することが好適である。
【００３０】
本発明に係る解決方式によれば、安全装置の具現も可能である。それによって例えばボトルの位置に不正が生じていて液密な取り付けが達成されていないことをセンサが示した場合に印刷原料の放出を遮断する。その場合アラーム信号を発信することが好適である。
【００３１】
安全機能によって特に、少なくともボトルと槽、さらには成形プラットフォームが適正な位置にあって動作可能であり従って放出を実行可能である場合に初めて成形プロセスが開始されることが保証される。
【００３２】
好適な構成形態によれば、小型メモリ内のボトルの情報の制御装置への信号送信に加えてボトル内にどの原料が存在するかが表示装置によって表示される。
【００３３】
別の好適な構成形態によれば、該当するボトルあるいはその中の印刷原料が制御装置内において造形作業に割り当てられ、そのことが記録される。この解決方式により、不良な造形作業が実行された場合に使用された原料を追跡することが可能になる。それによって必要に応じて原料製造者の責任を問うことができる。本発明に係る光造形装置上にユーザインタフェースのための表示装置および入力装置が存在する場合、特定の造形作業のために別のボトルとそれに伴って別のあるいは新しい印刷原料を使用する必要がある場合に使用者に指示を表示することもできる。
【００３４】
ＲＦＩＤタグは短い到達範囲を有するＲＦＩＤアンテナと組み合わせることもできる。その場合ボトルが誤って使用されると通信が不可能になって造形作業が停止される。そのことが追加的に光造形装置の操作の安全性に寄与する。
【００３５】
本発明によれば、印刷原料のための専用ボトルを使用することが極めて好適である。そのボトルは実質的に正方形の基礎構造を有していて緩やかに先細りのボトル注ぎ口を備える。ネジ蓋に適合するように形成されていて従って雄のネジ山を有するボトル閉鎖口の領域が、先細り部上に突出するリブによって側方で補強される。
【００３６】
ボトルをボトルソケット内に押し込むことにより、リブによるボトルソケット上の確実な接合と加えて液密な接合を保証することができる。
【００３７】
本発明によればその箇所に容量式の近接センサである近接センサを配置することもできる。前記の配置は例えば、ボトル注ぎ口の約２ｃｍ上方に存在する近接センサあるいは充填レベルセンサが液面レベルに応答するように実施される。
【００３８】
加えて、容量式の近接センサは使用される印刷原料に従って調節可能である。
【００３９】
そのためＲＦＩＤタグあるいは小型メモリをボトル上の任意の適宜な箇所に配置することができ、例えば側壁面上に配置することができる。
【００４０】
充填レベルセンサの有効性のためには比較的小さな壁厚とすることが重要である。実際にはこの構成はボトルの液密な取り付けに必要なボトルの安定性に相反するが；ボトル注ぎ口の側方補強リブによって相反する両方の要求を両立させることができる。
【００４１】
好適な構成形態によれば、使用期限に加えてボトルの最終使用がＲＦＩＤタグ内に記録される。最終使用が所定の期間、例えば２週間よりも前である場合、印刷原料中の沈殿物および／または粒子の均一性を確保するためにボトルを振盪することを光造形装置のディスプレイを介して使用者に対して要求することができる。
【００４２】
本発明によれば、長期間貯蔵された原料を混合するために槽とその中に浸漬された成形プラットフォームとの間の相対動作を介して混錬動作を実行するように光造形装置を制御することができる。混錬時間は多様な貯蔵時間に応じて目標値として設定することができ、その際その情報をシステムによって自動的に設定するか、あるいは原料の貯蔵時間に従って計算することができる。
【００４３】
原料の混錬を実行できるようにするために、少なくとも１個のＺ方向に移動可能な成形プラットフォームとＸおよびＹ方向に移動可能な槽あるいはカセットが必要であるか、またはＺ方向および／またはＸおよびＹ方向に移動可能な成形プラットフォームとＸあるいはＹ方向に移動可能な槽あるいはカセットが必要である。
【００４４】
ここで、可倒式の成形プラットフォーム６６および／または可倒式の槽４２あるいはカセット４２との組み合わせ、あるいはその他の組み合わせによる構成も考えられる。
【００４５】
ボトルを旋回可能に取り付ける場合、ＲＦＩＤタグを充填レベルセンサの領域内、すなわちボトルの注ぎ口側下端部に設置することが好適である。その理由は、ＲＦＩＤアンテナの到達範囲が限られており、前記のような構成であればボトルの旋回に際してのＲＦＩＤタグの移動距離が短くなってＲＦＩＤアンテナの到達範囲内に留まることができるためである。
【００４６】
センサに対して短い距離を実現できるようにＲＦＩＤタグを設置することが好適である。ここでは５ｍｍの数値が好適であることが判明しており、その数値は個体格差とボトルソケット内におけるボトルの取り付け遊びを考慮しているが、確実な評価および通信を可能にするものである。
【先行技術文献】
【特許文献】
【００４７】
【特許文献１】欧州特許出願第１８１６２３２０．８号明細書
【００４８】
本発明のその他の詳細、特徴、ならびに利点は、添付図面を参照しながら以下に記述する本発明の複数の実施形態の説明によって明らかにされる。
【図面の簡単な説明】
【００４９】
【図１】本発明に係る光造形装置内で使用するための本発明に係るボトルを示した概略説明図である。
【図２】光造形装置のボトルソケットと付属するカセット内におけるボトルの取り付けを示した説明図である。
【図３】本発明に係る光造形装置を概略的に示した立体図である。
【図４】本発明に係る光造形装置の別の実施形態を示した説明図である。
【発明を実施するための最良の形態】
【００５０】
図１に示されたボトル１０は例えば図３に示された光造形装置１２内に収容されるように提供される。図１においてボトルは充填中の状態で示されているが、使用中は例えば図２および図３に示されるように頭を下にして装填される。ボトル１０は、実質的に正方形である。ボトルは、周知の方式のようにボトルネック１４とネジ山付きの注ぎ口１６を備え、この実施例においては周知の方式の蓋１８によって閉鎖される。
【００５１】
ボトル１０は比較的壁薄の材料から形成される。（図１において上側に示された）ボトルの下方セクション２０はボトルネック１４まで先細りになっている。そのセクションは図２に示されるように錐形に形成するか、または図１および図３に示されるように実質的に平坦に形成することができる。そのセクションがいずれも補強リブ２２および２４を備えることが好適であり、その補強リブはボトル１０をボトルソケット３０（図２および図３参照）内に挿入する際に生じる応力を吸収してボトル１０の壁部３２に伝道するように機能する。
【００５２】
図１の実施例においてボトル１０は追加的に強化リブ３４を備えているが、図２および図３の構成形態においては設けられていない。
【００５３】
１つの壁部３２に本発明に係るＲＦＩＤタグ３６が配置される。ＲＦＩＤタグ３６は小型の記憶装置からなり、小型メモリ３８と、外部との通信を行う小型アンテナ４０と、図示されていない制御回路を有する。ＲＦＩＤタグ自体は周知である。
【００５４】
ＲＦＩＤタグ３６はボトル１０の狭い方の壁部に取り付けられる。この配置は、一般的に狭い方の壁部が広い方の壁部に比べていくらか低弾力性であるため有効である。ＲＦＩＤタグは、壁縁部および側部に極めて隣接しており；その位置も四角形のボトルにおいて比較的高剛性である。
【００５５】
図示された実施例においてＲＦＩＤタグはボトルの高さの略中央に取り付けられる。しかしながら、実施形態によっては上述した利点のためいくらか下方（図１においては上方）に配置することも好適であり得る。
【００５６】
いずれの場合も、図示されていないＲＦＩＤタグ３６用のアンテナがそのタグに極めて近接してボトルソケット３０内あるいは上に設置される。
【００５７】
図１の実施形態においてはＲＦＩＤタグ３６が縦長に取り付けられているが、必要に応じて横長に取り付けることも可能であることが理解される。
【００５８】
取り付けは周知の方式に従ってボトルの外面上への接着によって行われ、従ってＲＦＩＤタグ３６は紛失し得ないようにボトル１０と結合される。
【００５９】
図２には、ボトルソケット３０を有するカセット４０内のボトル１０の考えられる配置が示されている。この構成においてボトル１０は錐形のセクション２０を備え、そのセクションが側壁３２とボトルネック１４の間に延在する。注ぎ口１６はボトル１０のソケット３０内へ挿入される。このソケットは回転弁４１を備える。ボトル１０が図２の位置に存在する場合に回転弁４１が開放される。その位置に対してボトル１０が右に９０°旋回して槽４２の上方で横になる状態になると、回転弁が閉鎖される。カセット４０が下方に旋回した位置が運搬位置に相当する。上方に旋回した状態において、印刷原料５０がボトル１０から注ぎ口１６と回転弁４１を介して槽４２内に流入する。
【００６０】
槽４２内の液面５２を適正に保持するために周知の任意の措置が講じられる。その一例として槽４２内に液体を注入するいわゆる家畜用自動給水弁の方式が適している。
【００６１】
図２によればボトル１０の後方に充填レベルセンサ５４が配置される。そのセンサは容量式でそのセンサに隣接するボトル１０の位置に液体が存在するか否かを計測する。センサはボトルソケット３０上に取り付けられ、特にセクション２０の直ぐ上方あるいはセクション２０上に取り付けられる。
【００６２】
そのことは、ボトル１０内の印刷原料５０の液面５６がその位置を下回った場合にセンサが作動することを意味する。その場合、未だいくらかの印刷原料５０がボトル１０内で使用可能である。その際に、光造形によって槽４２内の印刷原料５０からさらに少なくとも３個の構成部材、すなわち例えば上顎義歯に相当する構成部材を製造、すなわちスライスするためにいずれにしても充分であるかどうかが計算される。
【００６３】
この方式によって、槽４２内の液面５２が常に高品質の光造形のために充分なようにされる。
【００６４】
図３により、光造形装置１２の例示的な構成が示される。光造形装置１２は表示装置と操作盤６２との組み合わせ有するハウジング６０を備える。カセット４０はハウジング６０上に装着され、これは図２のものと同様であるが図３においては顕著に概略的に示されている。
【００６５】
ボトル１０は注ぎ口１６を下向きにしてソケット３０内に収容され、従って印刷原料５０を槽４２内に放出することが可能になる。
【００６６】
槽４２の上方には、図３に図示されていない成形プラットフォーム６６（図４）のための保持アーム６４が延在する。この保持アームは駆動装置６８によって垂直、すなわちＺ軸の方向に移動可能である。
【００６７】
ボトル１０に隣接してＲＦＩＤタグ３６を捕捉するためにアンテナ７０および７２が設けられる。それらのアンテナはボトル１０のソケット３０上に取り付けられる。加えて、充填レベルセンサ５４がボトル１０の注ぎ口１６に隣接して配置される。
【００６８】
稼働中は、点線で示された制御装置７４によってボトル１０のＲＦＩＤタグ３６上の小型メモリ３８の状態が読み取られる。従って、制御装置７４にボトル１０内の印刷原料５０に関する種々の情報が提供される。
【００６９】
さらに、充填レベルセンサ５４によってボトル１０内の印刷原料５０の充填レベルが検出される。
【００７０】
全ての数値が適正で目的とされる造形作業に適合する場合、そのことが表示装置に表示されて使用者の認証後に当該造形作業が開始される。
【００７１】
造形作業の間継続的に充填レベルセンサ５４が照会される。造形作業の間にボトル１０内の印刷原料５０の充填レベルが所与の値未満に低下しても、ボトル１０内の印刷原料５０にはまだ一定の予備が有るため造形作業が最後まで遂行される。
【００７２】
しかしながら、後続する造形作業は許可されず；むしろ使用者にボトル交換が要求される。
【００７３】
制御装置７４がボトル交換を記録してボトル１０内の印刷原料５０が槽４２内に存在する印刷原料５０に適合するかを検査し、適合しない場合は交換を停止する。
【００７４】
それによって相互汚染も防止される。既に原料が槽内に流れ込んでいて相互汚染を完全に防止することができない場合でも、相互汚染を即座に認識して警報が発せられる。
【００７５】
適正な印刷原料５０、すなわち適正なボトル１０がソケット３０内に挿入されると初めて次の造形作業が許可される。
【００７６】
図４には本発明に係る光造形装置１２の別の構成形態が示されている。ここで他の図面と同等な構成要素には同じ参照符号を付して示す。この実施形態においてボトル１０のソケット３０が、ＲＦＩＤタグ３６のためのアンテナ７０とさらに追加的に充填レベルセンサ５８を備える。ボトル１０が横になって配置されている場合のボトル１０上のＲＦＩＤタグ３６との通信のために設定された別のアンテナ７１を備える。
【符号の説明】
【００７７】
１０  ボトル
１２  光造形装置
１４  ボトルネック
１６  注ぎ口
１８  蓋
２０  下方セクション
２２，２４  補強リブ
３０  ボトルソケット
３２  壁部
３４  強化リブ
３６  ＲＦＩＤタグ
３８  小型メモリ
４０  小型アンテナ
４０  カセット
４１  回転弁
４２  槽
５０  印刷原料
５２  液面
５４  充填レベルセンサ
５６  液面
５８  充填レベルセンサ
６０  ハウジング
６２  操作盤
６４  保持アーム
６６  成形プラットフォーム
６８  駆動装置
７０，７２  アンテナ
７４  制御装置
【図１】
2020116950.tif 000003
【図２】
2020116950.tif 000004
【図３】
2020116950.tif 000005
【図４】
2020116950.tif 000006